(57)【要約】【課題】スリムな枠材を用いてスッキリとした見栄えにできると共に、その枠材から面材が面内方向の内側に抜けることがない間仕切り用建具体とする。【解決手段】枠体４を形成する枠材は内向凹部１３を有し、面材５の外周縁にベース材２０を接着剤６で接着して取付け、このベース材２０を枠材の内向凹部１３内に面内方向の内側に抜けないように設けることで、その枠材がスリムであっても、その枠材から面材が面内方向の内側に抜けないようにできる。【選択図】図３
2010112065.tif 000002
【特許請求の範囲】
【請求項１】
枠体を形成する枠材は、面内方向の内側に開口した面材取付用の内向凹部を有し、
前記枠体内に装着される面材の外周縁にベース材が嵌め込まれ、かつ接着剤で固着して取付け、
このベース材を、前記枠材の内向凹部内に、面内方向の内側に抜けないように取付け、前記面材を枠体内に装着したことを特徴とする間仕切り用建具体。
【請求項２】
前記ベース材は、凹陥部を有すると共に、この凹陥部の両側部分に係止突部を有し、その凹陥部の底部に面材が接着剤で接着して固定し、
前記係止突部が、枠材の内向凹部の開口縁部に接することで、ベース材が面内方向の内側に抜けないようにした請求項１記載の間仕切り用建具体。
【請求項３】
前記ベース材をアルミ製とした請求項１又は２記載の間仕切り用建具体。
【発明の詳細な説明】
【技術分野】
【０００１】
本発明は、スクリーンパーティションなど室内の間仕切りとして用いる間仕切り用建具体に関する。
【背景技術】
【０００２】
従来、建具体としては、枠体内に面材を装着したものが一般的である。
例えば、特許文献１に開示したように、左右の縦枠材（支杆）と上下の横枠材（横杆）を方形状に連結した枠材と、面材（パネル板）と、この面材の周縁に装着したガスケットを備え、前記各枠材の内向凹部にガスケットを押し込んで取付けることで枠体内に面材を装着した衝立パネルとして用いる建具体が知られている。
【特許文献１】特開２００１−１７３１３２号公報
【発明の開示】
【発明が解決しようとする課題】
【０００３】
従来、室内の間仕切りとして用いる建具においては、スッキリとした見栄えとするために枠体を形成する各枠材をスリムにしている。例えば、見込み寸法、見付け寸法を小さくすると共に、板厚を薄くしている。
前述した従来の建具において、その各枠材を前述のようにスリムにすると、枠材の剛性が不足して長手方向に沿って湾曲変形し易くなる。
前述のように、枠材が湾曲変形すると、ガスケットが枠材の湾曲変形に追従して変形し、面材がガスケット（枠材）から抜け出し、面材を枠材で支持できなくなるので、枠体から面材が脱落することがある。
【０００４】
例えば、枠材に手を掛けて建具体を開閉するときに、その枠材が長手方向に沿って弓形に湾曲変形してガスケットが面材から抜け出すことがある。
【０００５】
本発明の目的は、スッキリとした見栄えにできると共に、面材が枠材から抜け出すことがないようにした間仕切り用建具体とすることである。
【課題を解決するための手段】
【０００６】
本発明は、枠体を形成する枠材は、面内方向の内側に開口した面材取付用の内向凹部を有し、
前記枠体内に装着される面材の外周縁にベース材が嵌め込まれ、かつ接着剤で固着して取付け、
このベース材を、前記枠材の内向凹部内に、面内方向の内側に抜けないように取付け、前記面材を枠体内に装着したことを特徴とする間仕切り用建具体である。
【０００７】
本発明においては、前記ベース材は、凹陥部を有すると共に、この凹陥部の両側部分に係止突部を有し、その凹陥部の底部に面材が接着剤で接着して固定し、
前記係止突部が、枠材の内向凹部の開口縁部に接することで、ベース材が面内方向の内側に抜けないようにできる。
このようにすれば、ベース材の係止突部が枠材の内向凹部の開口縁部に接しているから、ベース材が枠材の内向凹部から面内方向の内側に抜けることがない。
【０００８】
本発明においては、前記ベース材をアルミ製とすることができる。
このようにすれば、ベース材で枠材が補強されて剛性がアップするので、枠材が長手方向に沿って湾曲変形しづらく、枠材から面材が抜け出すことを確実に防止できる。
【発明の効果】
【０００９】
本発明によれば、枠材からベース材が面外方向の内側に抜けることがなく、そのベース材から面材が面内方向の内側に抜けることがない。
したがって、スリムで剛性の小さな枠材を用いて建具体をスッキリとした見栄えにできると共に、面材が枠材から抜け出すことがない。
また、面材はベース材に接着され、そのベース材は枠材から取り出しできるので、面材が損傷等した場合には枠体を分解してベース材とともに面材を取り外し、新しい面材を取付けることが可能であるから、枠体を共通にして面材を交換できる。
【発明を実施するための最良の形態】
【００１０】
図１に示すように、上枠材１０と下枠材１１と左右の縦枠材１２，１２を方形状に連結した枠体４に面材５を装着した建具体１を上レール２と下レール３に沿って開閉自在に建て込んだ可動式の室内間仕切りとしてある。
前記各枠材１０，１１，１２は、図２、図３に示すように、面内方向の内側に開口した面材取付用の内向凹部１３を有し、この内向凹部１３は四周連続している。
前記面材５の外周縁にはベース材２０が四周連続して嵌め込まれている。
この各ベース材２０と面材５が接着剤６で接着固定されている。
前記各ベース材２０は、各枠材１０，１１，１２の内向凹部１３内に、面内方向の内側に抜けないように取付けてあると共に、ベース材２０は面外方向に動くことがないように支持される。
【００１１】
このようであるから、面材５がベース材２０から抜け出すことがない。
また、ベース材２０が内向凹部１３から面内方向の内側に向けて抜けることがない。
したがって、上枠材１０、下枠材１１、縦枠材１２を、面内方向の外側に向けて手で押したり、引いたりした時などに、ベース材２０が内向凹部１３から抜け出すことがない。
よって、スリムな枠材、例えば見込み寸法、見付け寸法が小さく、板厚が薄い枠材を用いて、スッキリとした見栄えの建具体とすることができるし、その枠材が長手方向に沿って湾曲変形することがなく、面材５が枠材から面内方向の内側に抜けることがない。
【００１２】
例えば、左右の縦枠材１２をスリムにしたスッキリした見栄えとした場合に、その縦枠材１２に人が手を掛けて開閉する際に、その縦枠材１２が長手方向に弓形状に湾曲変形することがなく、縦枠材１２から面材５が抜け出すことがない。
【００１３】
前記縦枠材１２の内向凹部１３は、面外方向一側の一側板１４と面外方向他側の他側板１５と連結板１６で形成され、その一側板１４の端部１４ａと他側板１５の端部１５ａとが面外方向に離隔して内向凹部１３の開口部１３ａとしてあると共に、その端部１４ａ、端部１５ａ部分が開口縁部分である。
前記連結板１６が内向凹部１３の底面１３ｂである。
【００１４】
前記ベース材２０は、面外方向一側の一側板２１と面外方向他側の他側板２２と連結板２３で凹陥部２４を有し、その凹陥部２４の底部（連結板２３寄り部分）に接着剤６が設けられる。
前記一側板２１の一端部２１ａと他側板２２の一端部２２ａは離隔して凹陥部２４の開口部２４ａとしてあり、その開口部２４ａから面材５を凹陥部２４内に挿入して接着剤６に押しつけることで接着する。
【００１５】
前記ベース材２０の一側板２１、他側板２２の凹陥部２４を形成する部分は、ほぼくの字形状に折曲して弾性変形し易くしてあると共に、係止突部２１ｂ，２２ｂを有し、一側板２１、他側板２２における係止突部２１ｂ，２２ｂよりも奥側部分（凹陥部２４の底部寄り部分）はハ字形状となっている。
【００１６】
このようであるから、前記ベース材２０に面材５を接着固定した状態で、内向凹部１３の開口部１３ａ内に押し込むことで、前述のハ字形状となった部分が開口部１３ａに押しつけられて縦枠材１２の一側板１４と他側板１５を離れる方向に弾性変形して開口部１３ａを拡開し、係止突部２１ｂ，２２ｂが開口部１３ａを通過すると前述の一側板１４、他側板１５が弾性復元して開口縁部が係止突部２１ｂ，２２ｂに係止してベース材２０の抜け出しを防止する。
【００１７】
要するに、ベース材２０は、縦枠材１２の内向凹部１３内に一側板１４、他側板１５を弾性拡開変形して押し込みして取付けられる。
【００１８】
したがって、建具体１を次のようにして組立てできる。
前記面材５の外周縁にベース材２０をそれぞれ接着して取付けて外周縁に四周連続したベース材２０を有した面材５とする。
前記面材５の上のベース材２０には上枠材１０、下のベース材２０には下枠材１１、縦のベース材２０には縦枠材１２を、それぞれ面内方向に移動して取付ける。
そして、縦枠材１２と上枠材１０、縦枠材１２と下枠材１１をビス等で連結して建具体１とする。なお、各枠材にベース材２０を取付け、その後に面材５をベース材２０に接着することもできる。
【００１９】
また、ベース材２０の一側板２１、他側板２２の開口部２４ａを形成する一端部２１ａ，２２ａと面内方向の反対側の他端部２１ｃ，２２ｃは連結板１６に当接することで、ベース部材２０が内向凹部１３内で面内方向に大きく動くことがないようにしている。
また、ベース材２０の一側板２１、他側板２２の一端部２１ａ，２２ａ寄りの外面に、縦枠材１２の一側板１４、他側板１５の端面がそれぞれ接することで、ベース材２０が内向凹部１３内で面外方向に動かないようにしている。
【００２０】
なお、上枠材１０、下枠材１１の内向凹部１３は前述の縦枠材１２の内向凹部１３と同一である。
【００２１】
また、面材５が破損等した場合には、枠体４を分解することで、各枠材から各ベース材２０を長手方向にスライドして取り外し、新しい面材５にベース材２０を接着固定したものに各枠材を取付け、その各枠材を方形状に連結することで面材５を交換できる。
したがって、面材５が破損等した場合には枠体４を共通にして面材５を交換できる。
【００２２】
また、前記ベース材２０をアルミ製とすることで、ベース材２０自体の剛性が大きいので、そのベース材２０で枠材を補強して枠材の剛性をアップできるから、枠材がより一層湾曲変形しないようにできる。
【００２３】
前記ベース材２０は図４に示す形状としても良い。
前記ベース材２０は、その連結片２３に脚片２５を介して支持片２６を一体に有した形状である。
そして、前記支持片２６を縦枠材１２の一側板１４、他側板１５の内面に接してベース材２０が縦枠材１２に対して面外方向に動かないように強固に支持する。
この場合には、ベース材２０を内向凹部１３内に開口部１３ａから押し込んで取付けできないので、ベース部２０を縦枠材１２の長手方向からスライドして内向凹部１３内に取付ける。
なお、上枠材１０、下枠材１１に取付けるベース材２０も同一形状とすることができる。
【００２４】
以上の実施の形態では、可動式の室内間仕切りとしたが、固定式の室内間仕切りとすることができる。
また、ベース材２０は樹脂製とすることもできる。
また、枠材はアルミ製であるが、樹脂製とすることもできる。
【００２５】
前述の実施の形態では、左右の縦枠材１２の見付け寸法（図１で左右方向の寸法）が小さく、上枠材１０、下枠材１１の見付け寸法（図１で上下方向の寸法）が大きいが、このようにしても建具体１をスッキリとした見栄えにできる。
また、上枠材１０、下枠材１１の見付け寸法を小さくしても良いし、縦枠材１２の見付け寸法を大きく、上枠材１０、下枠材１１の見付け寸法を小さくしても良い。
【００２６】
また、前述の実施の形態では上枠材１０、下枠材１１、縦枠材１２に、面材５に接着したベース材２０を取付けして各枠材から面材５が面内方向の内側に抜けないようにしたが、見付け寸法が小さく、スリムな枠材にのみベース材２０を取付けるようにしても良い。
つまり、見付け寸法が大きな枠材は剛性が大きいから、長手方向に沿って湾曲変形し難く、面材を従来のようにガスケットを介して取付けても面材が面内方向の内側に抜けることがないようにできる。
【図面の簡単な説明】
【００２７】
【図１】室内可動間仕切りの概略正面図である。
【図２】図１の詳細縦断面図である。
【図３】図１の詳細横断面図である。
【図４】ベース材の第２の実施の形態を示す横断面図である。
【符号の説明】
【００２８】
１…建具体、４…枠体、５…面材、６…接着剤、１０…上枠材、１１…下枠材、１２…縦枠材、１３…内向凹部、２０…ベース材、２４…凹陥部。
【図１】
2010112065.tif 000003
【図２】
2010112065.tif 000004
【図３】
2010112065.tif 000005
【図４】
2010112065.tif 000006